(57)【要約】【課題】建物の火災時における昇降路内の温度上昇が少なく、火災発生時において高い信頼度でエレベーターを運転できるエレベーターの昇降路を得る。【解決手段】建物１の立て坑２内に空隙５を形成して昇降路体３を立設し、また立て坑２及び昇降路体３の両者の側面を貫通して設けた乗場出入口６の周縁部に上記両者間の空隙５を閉塞する連結壁７を構成して空隙５を密閉化する。これによって、建物１の火災時に昇降路体３に熱が伝わり難くなり、火災時に昇降路体３内の温度上昇を抑制することができる。そして、火災時に建物１の滞在者をエレベーターを使用して避難移送するとき等におけるエレベーター機器の異常発生を防止でき、火災発生後の少なくとも所定時間においてエレベーターを正常運転することができる。【選択図】        図２
2004231350.tif 000002
【特許請求の範囲】
【請求項１】
建物に設けられた立て坑と、この立て坑内に設けられて上記立て坑の内壁との間に空隙を形成して配置された昇降路体と、上記立て坑及び昇降路体の両者の側面を貫通して設けられて、周縁部に上記両者間の空隙を閉塞する連結壁が構成された乗場出入口とを備えたエレベーターの昇降路。
【請求項２】
立て坑及び昇降路体の両者間の空隙に充填された耐火性の断熱材を備えたことを特徴とする請求項１記載のエレベーターの昇降路。
【請求項３】
空隙に開口して立て坑外に連通した管路と、この管路を介して上記空隙に冷却流体を供給する冷却装置とを備えたことを特徴とする請求項１記載のエレベーターの昇降路。
【請求項４】
乗場出入口に設けられて上記乗場出入口を開閉する断熱構造体製の乗場の戸を備えたことを特徴とする請求項１〜請求項３のいずれか一つに記載のエレベーターの昇降路。
【発明の詳細な説明】
【０００１】
【発明の属する技術分野】
この発明は、建物の火災時に主として建物内滞在者の避難用として使用されるエレベーターの昇降路に関する。
【０００２】
【従来の技術】
従来のエレベーターは、建物に設けられた昇降路内にかご等のエレベーター機器が設置され、駆動装置の動作によってかごを昇降運転するように構成されている。（例えば、特許文献１参照）。
【０００３】
【特許文献１】
特開平６−１６３５７号公報（第２頁、図７）
【０００４】
【発明が解決しようとする課題】
建物の火災時に建物の滞在者をエレベーターを使用して建物の避難階に移送することが考えられる。この場合に従来のエレベーターの昇降路に設けられたかごを運転するときに、火災階において昇降路が加熱されて昇降路内が高温となるので、エレベーターの昇降路機器に異常が発生したり、かごが火災階を通過するときにかごに設置された機器に異常が発生したりして避難運転が阻害される恐れがあるという問題点があった。
【０００５】
この発明は、かかる問題点を解消するためになされたものであり、建物の火災時における昇降路内の温度上昇が少ないエレベーターの昇降路を得ることを目的とする。
【０００６】
【課題を解決するための手段】
この発明に係るエレベーターの昇降路においては、建物に設けられた立て坑と、この立て坑内に設けられて立て坑の内壁との間に空隙を形成して配置された昇降路体と、立て坑及び昇降路体の両者の側面を貫通して設けられて、周縁部に上記両者間の空隙を閉塞する連結壁が構成された乗場出入口とが設けられる。
【０００７】
【発明の実施の形態】
実施の形態１．
図１及び図２は、この発明の実施の形態の一例を示す図で、図１はエレベーターを概念的に示す縦断面図、図２は図１の要部横断平面図である。図において、建物１に立て坑２が設けられ、また昇降路体３が立て坑２内に設けられて立て坑２の内壁４との間に空隙５を形成して配置される。そして、立て坑２及び昇降路体３の両者の側面を貫通して乗場出入口６が設けられ、乗場出入口６の周縁部に上記両者間の空隙５を閉塞する連結壁７が構成される。
【０００８】
また、立て坑２の内壁４と昇降路体３の外面を連結する連結体８が、空隙５に適宜な間隔で配置される。そして、建物１の立て坑２上方位置に機械室９が設けられて、巻上機１０、制御盤１１が設置される。また、昇降路体３の所定経路を昇降するかご１２が設けられ、またかご１２の出入口を開閉するかごの戸１３が設けられる。
【０００９】
さらに、昇降路体３の他の所定経路を昇降するつり合おもり１４が設けられて、巻上機１０の駆動綱車に巻掛けられた主索１５の一端に連結される。なお、主索１５の他端はかご１２が連結される。また、乗場出入口６を開閉する乗場の戸１６が設けられる。
【００１０】
また、空隙５に開口して立て坑２外に連通した管路１７が立て坑２の上端部及び下端部にそれぞれ設けられる。なお、図示が省略してあるが管路１７は、火災時に動作して水等の冷却流体を供給するポンプ装置からなる冷却装置に接続されている。
【００１１】
上記のように構成されたエレベーターの昇降路において、制御盤１１の動作によって要時に巻上機１０が付勢され、主索１５を介して昇降路体３内に設けられてそれぞれの所定経路を昇降するかご１２及びつり合おもり１４が互いに反対方向に運転される。
【００１２】
また、建物１に立て坑２が設けられ立て坑２の内壁４との間に空隙５を形成して昇降路体３が立設される。そして、立て坑２及び昇降路体３の両者の側面を貫通して設けられた乗場出入口６の周縁部に、上記両者間の空隙５を閉塞する連結壁７が構成される。これによって、上記両者間に密閉状態をなす空隙５が形成されて建物１の火災時において昇降路体３に熱が伝わり難くなる。
【００１３】
このため、建物１の火災時に昇降路体３内の温度上昇を抑制することができる。したがって、建物１の火災時に建物の滞在者をエレベーターを使用して建物１の避難階（図示しない）に移送する場合に、エレベーターの昇降路機器に異常が発生したり、かご１２が火災階を通過するときにかご１２に設けられた機器に異常が発生したりして避難運転が阻害されることがない。
【００１４】
これにより、建物１の火災発生後の少なくとも所定時間においてエレベーターを正常に運転することができ、建物１の火災発生時に建物１の滞在者をエレベーターを使用して建物１の避難階（図示しない）に順調に移送することができ、エレベーターの避難運転における信頼性を向上することができる。
また、図１及び図２に示す構造の昇降路を、建物１の火災時に消防士による消火活動に使用されるエレベーターに適用して消防運転における信頼性を向上することができる。
【００１５】
また、冷却装置によって冷却流体を管路１７を介して空隙５に供給し昇降路体３を冷却して伝熱を抑制する。これによって、建物１の火災時にエレベーター設備の温度上昇を防ぎ、エレベーターの避難運転時等における信頼性を一層向上することができる。
【００１６】
なお、図１及び図２の実施の形態において、昇降路体３の底面と建物１の構造体との対向箇所、また機械室９と建物１の構造体との対向箇所についても空隙を形成した二重構造とする。これにより、建物１の火災時にエレベーター設備への伝熱を防ぐことができ、エレベーターの避難運転時等における信頼性を一層向上することができる。
【００１７】
実施の形態２．
図１及び図２の実施の形態を応用して容易に次ぎに述べるように構成することができる。すなわち、空隙５に耐火性の断熱材（図示しない）を充填することによって、建物１の火災時における昇降路体３への伝熱をさらに有効に抑制することができ、エレベーターの避難運転時等における信頼性を一層向上することができる。
【００１８】
実施の形態３．
図１及び図２の実施の形態を応用して容易に次ぎに述べるように構成することができる。すなわち、乗場出入口６を開閉する乗場の戸１６を断熱性能を有するものとする。これによって、建物１の火災時に昇降路３内のエレベーター設備への伝熱を抑制することができ、エレベーターの避難運転時等における信頼性を一層向上することができる。
【００１９】
【発明の効果】
この発明は以上説明したように、建物に設けられた立て坑と、この立て坑内に設けられて立て坑の内壁との間に空隙を形成して配置された昇降路体と、立て坑及び昇降路体の両者の側面を貫通して設けられて、周縁部に上記両者間の空隙を閉塞する連結壁が構成された乗場出入口とを設けたものである。
【００２０】
これによって、建物の立て坑内に空隙を形成して昇降路体が立設され、また立て坑及び昇降路体の両者の側面を貫通して設けられた乗場出入口の周縁部に上記両者間の空隙を閉塞する連結壁が構成され、上記両者間に密閉状態をなす空隙が形成されて建物の火災時に昇降路体に熱が伝わり難くなる。このため、建物の火災時に昇降路体内の温度上昇を抑制することができ建物の火災時に、建物の滞在者をエレベーターを使用して避難移送したり、消火活動を行ったりする場合に、エレベーターの昇降路機器に異常が発生したり、かごが火災階を通過するときにかごの機器に異常が発生したりすることによる運転阻害を防ぐことができる。これにより、建物の火災発生後の少なくとも所定時間においてエレベーターを正常に運転することができ、建物の滞在者の避難移送等を順調に実施できて火災発生時におけるエレベーターの運転信頼度を向上する効果がある。
【図面の簡単な説明】
【図１】この発明の実施の形態１を示す図で、エレベーターを概念的に示す縦断面図。
【図２】図１の横断平面図。
【符号の説明】
１  建物、２  立て坑、３  昇降路体、４  内壁、５  空隙、６  乗場出入口、７  連結壁、１２  かご、１６  乗場の戸、１７  管路。
【図１】
2004231350.tif 000003
【図２】
2004231350.tif 000004